(57)【要約】【課題】観察物をより均一に照らす顕微鏡用照明装置を提供する。【解決手段】顕微鏡用照明装置１００は、面で発光する面光源１１２を有する光源部１１０と、開口１２２を有し、開口１２２の周囲に複数の光源部１１０をそれぞれヒンジ１２４により接続する顕微鏡取付具１２０と、面光源１１２に電流を供給する電源部１３０と、を備える。【選択図】図１
0003210567.tif 000002
【実用新案登録請求の範囲】
【請求項１】
面で発光する面光源を有する光源部と、
開口を有し、前記開口の周囲に複数の前記光源部をそれぞれヒンジにより接続する顕微鏡取付具と、
前記面光源に電流を供給する電源部と、を備える顕微鏡用照明装置。
【請求項２】
前記ヒンジのそれぞれの回動軸は、前記開口の周囲に沿って配置される、請求項１に記載の顕微鏡用照明装置。
【請求項３】
前記電流の大きさを連続的に調節する調光操作部を更に備える、請求項１又は２に記載の顕微鏡用照明装置。
【請求項４】
前記面光源は、発光材料からなる薄膜が発光する、請求項１乃至３のいずれか一項に記載の顕微鏡用照明装置。
【請求項５】
前記発光材料は有機ＥＬ材料である、請求項４に記載の顕微鏡用照明装置。
【請求項６】
前記面光源はそれぞれ矩形である、請求項１乃至５のいずれか一項に記載の顕微鏡用照明装置。
【請求項７】
前記顕微鏡取付具は、４つの前記光源部を接続する、請求項１乃至６のいずれか一項に記載の顕微鏡用照明装置。
【請求項８】
前記光源部それぞれの光の照射方向は、前記開口の開口軸を照射する方向である、請求項１乃至７のいずれか一項に記載の顕微鏡用照明装置。
【請求項９】
前記ヒンジにより前記平面の角度を変化させることにより、前記開口軸における照射位置が変化する、請求項１乃至８のいずれか一項に記載の顕微鏡用照明装置。
【請求項１０】
前記面光源の合計面積は、１６ｃｍ２〜１５０ｃｍ２である、請求項１乃至９のいずれか一項に記載の顕微鏡用照明装置。
【請求項１１】
請求項１から１０のいずれか一項に記載の顕微鏡用照明装置と、
複数のレンズからなる光学系を有する光学系装置と、を備え、
前記顕微鏡用照明装置は、前記光学系が前記開口に配置され、前記光学系装置に対して取り付けられる顕微鏡。
【請求項１２】
前記光源部それぞれの光の照射方向は、前記光路を照射する方向である、請求項１１に記載の顕微鏡。
【請求項１３】
前記ヒンジにより前記平面の角度を変化させることにより、前記光路上の照射位置が変化する、請求項１１又は１２に記載の顕微鏡。
【考案の詳細な説明】
【技術分野】
【０００１】
本考案は、顕微鏡用照明装置及び顕微鏡に関する。
【背景技術】
【０００２】
従来から材料や生物その他の様々分野における微細部分の観察において顕微鏡が用いられている。特に光学顕微鏡の場合には、観察物に対してハロゲンランプを光源とした照明光を照射することが多い。特許文献１は、ＬＥＤを光源とする被写体のＬＥＤ照明ユニットと、ＬＥＤの通電パルス幅を変更することにより調光を行う顕微鏡コントロール部と、ＬＥＤの調光指示を入力する調光ボリュームと、当該顕微鏡装置の状態として観察光路を検出する光路検出部と、を有し、顕微鏡コントロール部が、調光ボリュームにより入力された調光指示と光路検出部により検出された観察光路とに基づいて調光を行うこと顕微鏡装置について開示している。
【先行技術文献】
【特許文献】
【０００３】
【特許文献１】特開２００５−２５０１５１号公報
【考案の概要】
【考案が解決しようとする課題】
【０００４】
しかしながら、ハロゲンランプ、ＬＥＤその他の点光源又は線光源を、顕微鏡の照明光として用いた場合には、観察物の凹凸に応じて照らされる部分と陰になる部分とが現れ、所望の箇所を観察するためには光源や観察物の位置や向きを変化させたりする必要があった。特に観察物が奥に入り組んだ隙間構造である場合には、光が入り込みにくいため、観察するのが難しかった。
【０００５】
本考案は上述の事情に鑑みてされたものであり、観察物をより均一に照らす顕微鏡用照明装置及び顕微鏡を提供することを目的とする。
【課題を解決するための手段】
【０００６】
本考案に係る顕微鏡用照明装置は、面で発光する面光源を有する光源部と、開口を有し、前記開口の周囲に複数の前記光源部をそれぞれヒンジにより接続する顕微鏡取付具と、前記面光源に電流を供給する電源部と、を備える顕微鏡用照明装置である。
【０００７】
また、上述の顕微鏡用照明装置において、前記ヒンジのそれぞれの回動軸は、前記開口の周囲に沿って配置されていてもよい。また、上述の顕微鏡用照明装置において、前記電流の大きさを連続的に調節する調光操作部を更に備えていてもよい。
【０００８】
また、上述の顕微鏡用照明装置において、前記面光源は、発光材料からなる薄膜が発光してもよい。この場合において、前記発光材料は有機ＥＬ材料とすることができる。また、上述の顕微鏡用照明装置において、前記面光源はそれぞれ矩形とすることができる。また、上述の顕微鏡用照明装置において、前記顕微鏡取付具は、４つの前記光源部を接続することとしてもよい。
【０００９】
また、上述の顕微鏡用照明装置において、前記光源部それぞれの光の照射方向は、前記開口の開口軸を照射する方向とすることができる。また、上述の顕微鏡用照明装置において、前記ヒンジにより前記平面の角度を変化させることにより、前記開口軸における照射位置が変化することとしてもよい。また、上述の顕微鏡用照明装置において、前記面光源の合計面積は、１６ｃｍ２〜１５０ｃｍ２とすることができる。
【００１０】
本考案の顕微鏡は、上述のいずれかに記載の顕微鏡用照明装置と、複数のレンズからなる光学系を有する光学系装置と、を備え、前記顕微鏡用照明装置は、前記光学系が前記開口に配置され、前記光学系装置に対して取り付けられる顕微鏡である。
【００１１】
また、上述の顕微鏡において、前記光源部それぞれの光の照射方向は、前記光路を照射する方向であってもよい。また、上述の顕微鏡において、前記ヒンジにより前記平面の角度を変化させることにより、前記光路上の照射位置が変化してもよい。
【考案の効果】
【００１２】
本考案の顕微鏡用照明装置及び顕微鏡によれば、観察物をより均一に照らすことができる。
【図面の簡単な説明】
【００１３】
【図１】本開示の実施形態に係る顕微鏡用照明装置を示す斜視図である。
【図２】各光源部の角度を、ヒンジを支点として変化させた場合の斜視図である。
【図３】顕微鏡用照明装置を用いた顕微鏡について概略的に示す図である。
【考案を実施するための形態】
【００１４】
以下、本考案の実施の形態について図面を参照しつつ説明する。以下の説明において、同様の要素には同一の符号を付し、重複する説明を省略する。また、図面における各部の幅、厚さ、形状等については、説明を分かりやすくするための例示であり、本考案の技術的思想の解釈を限定するものではない。
【００１５】
図１は、本開示の実施形態に係る顕微鏡用照明装置１００を示す斜視図である。図１に示されるように、顕微鏡用照明装置１００は、光源部１１０と、顕微鏡取付具１２０と、電源部１３０とを備えている。ここで光源部１１０は、面で発光する面光源１１２を有している。「面で発光する」とは、平面又は曲面上に成膜された発光材料が発光することを意味し、特に有機ＥＬ（Electro Luminescence）発光材料を用いることが好ましい。顕微鏡取付具１２０は、開口１２２を有し、開口１２２の周囲に光源部１１０を複数接続している。電源部１３０は、各面光源１１２に電流を供給する。また、光源部１１０と顕微鏡取付具１２０とは、面光源１１２の平面の角度を変化させるヒンジ１２４を介して接続されている。
【００１６】
顕微鏡用照明装置１００は、更に、各光源部１１０の面光源１１２に供給する電流の大きさを連続的に調節する調光操作部１３２を有していてもよい。本実施形態においては調光操作部１３２は、電源部１３０に設けられているが、調光操作部１３２は電源部１３０と別に設けられていてもよい。
【００１７】
面光源１１２は、発光材料からなる薄膜が発光するものとすることができ、特に有機ＥＬ発光材料を用いた照明とすることができる。このように全体が均一に発光する面光源１１２を用いることにより、陰影の発生を低減し、顕微鏡に取り付けられた際に、観察物の隙間等の奥まで光が入り細かな部分まで観察する事ができる。併せて、観察物からの乱反射によるチラツキ現象も少なく、自然光での観察を行うことができる。また、有機ＥＬの光は、演色性に優れており、Ｒａ９０等の自然光（太陽光）に近い値にあることも多い。このため、色の変化や比較等の判断を要する観察物の検査には極めて有効性が高い。
【００１８】
光源部１１０それぞれの光の照射方向は、開口から延びる開口軸１５１を照射する方向である。ここで開口軸１５１は、開口１２２を通過する仮想的な直線であり、例えば開口１２２の中心軸としてもよい。開口軸１５１は、開口１２２が平板に開けられた穴である場合には、平板の平面に垂直な方向とすることができる。
【００１９】
図２は、各光源部１１０の角度を、ヒンジ１２４を支点として変化させた場合の斜視図である。この図に示されるように、各光源部１１０の面光源１１２の平面と、顕微鏡取付具１２０の開口１２２が開けられた平面との角度が、図１の場合よりも大きくなっている。このように、各光源部１１０の顕微鏡取付具１２０に対する角度を大きくすることにより、開口軸１５１上の、より顕微鏡取付具１２０に近い領域に光を照射することができる。したがって、ヒンジ１２４を用いて面光源１１２の平面の角度を変化させることにより、開口軸１５１上の照射位置を変化させることができる。
【００２０】
ここで、ヒンジ１２４の回動軸は、開口１２２の周囲に沿う方向となるように配置することができる。このように配置することにより、ヒンジ１２４により光源部１１０を回動させたとしても、面光源１１２からの光は開口軸１５１から外れることなく照射される。このように複数の光源部１１０がそれぞれヒンジ１２４により顕微鏡取付具１２０に対する角度を変化させることができるため、観察物の形状等に合わせて光を照射することができる。
【００２１】
本実施形態においては、顕微鏡取付具１２０は、４つの光源部１１０を接続することとすることとしている。このような場合には、例えば平面視で照射角度を９０度ずつ異ならせるように配置することができるため、顕微鏡に取り付けた際に観察物に対して４方向から光を照射することができ、照射物の凹凸による陰影をより低減することができる。しかしながら、光源部１１０の数は４つに限られず、２つ、３つ、５つ以上とすることができる。このように、本実施形態における顕微鏡用照明装置１００を顕微鏡に用いた場合には、観察物の凹凸による陰影を軽減し、より均一に照らすことができる。
【００２２】
顕微鏡用照明装置１００を顕微鏡の一部として用いる場合には、開口１２２内に、例えば光学系の一部を配置し、光学系に取り付けることができる。この際、顕微鏡取付具１２０の外側側面から開口１２２内面に向けて伸びるネジ穴を利用した取付ネジ１２６により、顕微鏡用照明装置１００を光学系に固定することとしてもよい。また各面光源１１２の平面形状は矩形とすることができる。これにより観察物に、より均質な光を照射することができる。
【００２３】
また、面光源１１２の合計面積は、例えば１６ｃｍ２〜１５０ｃｍ２とすることができる。１６ｃｍ２未満の場合には照射の距離によっては暗すぎてしまう恐れがあり、１５０ｃｍ２を超える場合には、顕微鏡の取付領域が十分でない場合が生じる恐れがあるためである。
【００２４】
図３は、顕微鏡用照明装置１００を用いた顕微鏡６００について概略的に示す図である。この図に示されるように、顕微鏡６００は、複数のレンズからなる光学系５１０を有する光学系装置５００と、顕微鏡用照明装置１００とを有している。顕微鏡用照明装置１００は、光学系５１０の光路５５０が開口１２２に配置されるように、光学系装置５００に対して取り付けられる。光学系装置５００は、例えば光学系５１０と、本体５０２と、ステージ５０４とを有している。光学系５１０は、例えば接眼レンズ５１２と、対物レンズ５１４と、その他のレンズを収める鏡体５１６とを有している。図３では、顕微鏡用照明装置１００の開口１２２に、光学系装置５００の鏡体５１６を配置し、取付ネジ１２６により固定している。しかしながら、顕微鏡用照明装置１００の取り付け位置は、鏡体５１６に限らず、光学系装置５００の構成により適宜定めることができる。
【００２５】
このように顕微鏡用照明装置１００が光学系装置５００に取り付けられた顕微鏡６００においては、光源部１１０それぞれの光の照射方向は、光学系装置５００の光路５５０を照射する方向となる。また、ヒンジ１２４により面光源１１２の平面の角度を変化させることにより、光路５５０上の照射位置を変化させることができる。この顕微鏡６００を用いた観察においては、複数の方向から、光路５５０上にあるステージ５０４上の観察物５５１を照らすことができるため、観察物５５１の凹凸による陰影を低減することができる。また、光路５５０上にあるステージ５０４上の観察物５５１が照明されるようにヒンジ１２４の角度を調節し、また必要な場合には、調光操作部１３２により明るさを調節することで、最適な照明で観察物を観察することができる。
【００２６】
以上説明したように、本開示による顕微鏡用照明装置１００及び顕微鏡６００では、観察物５５１の凹凸による陰影を低減し、より均一に照らすことができる。
【符号の説明】
【００２７】
１００  顕微鏡用照明装置，１１０  光源部，１１２  面光源，１２０  顕微鏡取付具，１２２  開口，１２４  ヒンジ，１２６  取付ネジ，１３０  電源部，１３２  調光操作部，１５１  開口軸，５００  光学系装置，５０２  本体，５０４  ステージ，５１０  光学系，５１２  接眼レンズ，５１４  対物レンズ，５１６  鏡体，５５０  光路，５５１  観察物，６００  顕微鏡
【図１】
0003210567.tif 000003
【図２】
0003210567.tif 000004
【図３】
0003210567.tif 000005
【手続補正書】
【提出日】平成29年3月30日(2017.3.30)
【手続補正１】
【補正対象書類名】実用新案登録請求の範囲
【補正対象項目名】全文
【補正方法】変更
【補正の内容】
【実用新案登録請求の範囲】
【請求項１】
面で発光する面光源を有する光源部と、
開口を有し、前記開口の周囲に複数の前記光源部をそれぞれヒンジにより接続する顕微鏡取付具と、
前記面光源に電流を供給する電源部と、を備える顕微鏡用照明装置。
【請求項２】
前記ヒンジのそれぞれの回動軸は、前記開口の周囲に沿って配置される、請求項１に記載の顕微鏡用照明装置。
【請求項３】
前記電流の大きさを連続的に調節する調光操作部を更に備える、請求項１又は２に記載の顕微鏡用照明装置。
【請求項４】
前記面光源は、発光材料からなる薄膜が発光する、請求項１乃至３のいずれか一項に記載の顕微鏡用照明装置。
【請求項５】
前記発光材料は有機ＥＬ材料である、請求項４に記載の顕微鏡用照明装置。
【請求項６】
前記面光源はそれぞれ矩形である、請求項１乃至５のいずれか一項に記載の顕微鏡用照明装置。
【請求項７】
前記顕微鏡取付具は、４つの前記光源部を接続する、請求項１乃至６のいずれか一項に記載の顕微鏡用照明装置。
【請求項８】
前記光源部それぞれの光の照射方向は、前記開口の開口軸を照射する方向である、請求項１乃至７のいずれか一項に記載の顕微鏡用照明装置。
【請求項９】
前記ヒンジにより前記面の角度を変化させることにより、前記開口軸における照射位置が変化する、請求項８に記載の顕微鏡用照明装置。
【請求項１０】
前記面光源の合計面積は、１６ｃｍ２〜１５０ｃｍ２である、請求項１乃至９のいずれか一項に記載の顕微鏡用照明装置。
【請求項１１】
請求項１から１０のいずれか一項に記載の顕微鏡用照明装置と、
複数のレンズからなる光学系を有する光学系装置と、を備え、
前記顕微鏡用照明装置は、前記光学系が前記開口に配置され、前記光学系装置に対して取り付けられる顕微鏡。
【請求項１２】
前記光源部それぞれの光の照射方向は、前記光学系の光路を照射する方向である、請求項１１に記載の顕微鏡。
【請求項１３】
前記ヒンジにより前記面の角度を変化させることにより、前記光路上の照射位置が変化する、請求項１２に記載の顕微鏡。